(57)【要約】【課題】流路に滞留部を有する水洗式便器に確実にサイホン作用を生じさせ、その水洗式便器の便器本体を簡素化でき、しかも接続部分等に水漏れ等の懸念を生じないようにできる床排水接続部材を提供する。【解決手段】本発明の床排水接続部材６０は、便器本体１の便鉢２に形成された水封部４ａに連通する便器排水口２ｄと、床面Ｆから立ち上げられた床排水管７０に形成された床排水口７０ａとを接続するものである。この床排水接続部材６０は、便器排水口２ｄと接続され、内部に洗浄水を貯留する滞留部６３ｂが形成された案内管６２及び接続管本体６５と、床面Ｆに固定され、接続管本体６５と床排水口７０ａとを接続する接続部７１ｅを有する排水接続ソケット７１とからなる。排水接続ソケット７１には、滞留部６３ｂを支持する支持部７１ｄが形成されている。【選択図】図３
2008267025.tif 000002
【特許請求の範囲】
【請求項１】
便器本体の便鉢に形成された水封部に連通する便器排水口と、床面から立ち上げられた床排水管に形成された床排水口とを接続する床排水接続部材において、
前記便器排水口と接続され、内部に洗浄水を貯留する滞留部が形成された排水接続管と、前記床面に固定され、該排水接続管と該床排水口とを接続する接続部を有する排水接続ソケットとからなり、
該排水接続ソケットには、該滞留部を支持する支持部が形成されていることを特徴とする床排水接続部材。
【請求項２】
前記支持部は、異なる形状の前記排水接続管に対応可能に複数個形成されている請求項１記載の床排水接続部材。
【請求項３】
各前記支持部は前記接続部からの距離が異なる請求項２記載の床排水接続部材。
【発明の詳細な説明】
【技術分野】
【０００１】
本発明は床排水接続部材に関する。
【背景技術】
【０００２】
特許文献１に従来の洋風水洗式便器が開示されている。この洋風水洗式便器の便器本体は、便鉢の下端に形成された流入口が便鉢の裏面で後方に向かって延びる上昇流路に連通している。また、この便器本体では、上昇流路の最高位部と連通する上流口から設置時に上流口より低い位置まで延ばされ、そこで湾曲して高い位置まで延ばされ、さらにそこで湾曲して床排水口と接続される下流口まで延ばされている。下流口が便器排水口とされている。
【０００３】
一方、その洋風水洗式便器が据え置かれる床面には、上端に床排水口をもつ床排水管が立ち上げられる。便器本体の便器排水口と床排水管の床排水口とは床排水接続部材によって接続される。
【０００４】
この床排水接続部材としては、特許文献２、３開示のものが知られている。これらの床排水接続部材は、便器本体の便器排水口と床排水管の床排水口とを接続し、床面に固定されるものである。これらの床排水接続部材は、便器本体の便器排水口と床排水口とを接続する接続部を有するものである。
【０００５】
特許文献１開示の洋風水洗式便器の便器本体では、上昇流路によって洗浄水が封水となる水封部が便鉢に形成されるとともに、低い位置で湾曲している流路によって洗浄水が滞留する滞留部が形成される。このため、便鉢内に供給される洗浄水と、便器排水口付近の流路内の空気の吸引とによって確実にサイホン作用を生じ、水封部内の汚物は便器排水口に至り、床排水口から床排水管に排出されることとなる。
【０００６】
【特許文献１】特開平７−５４３８８号公報
【特許文献２】特開平８−３２６１３５号公報
【特許文献３】特開２００３−１９３５４１号公報
【発明の開示】
【発明が解決しようとする課題】
【０００７】
しかし、上記特許文献１開示の洋風水洗式便器は、便器本体自体に滞留部が形成されるため、便器本体が複雑化し、生産性が悪く、コストも高騰化してしまう。
【０００８】
このため、便器本体とは別体の排水接続管で滞留部を形成することが考えられる。この場合、便器本体の便器排水口に排水接続管を接続し、排水接続管を従来の床排水接続部材の接続部に接続することにより、便器本体の便器排水口と床排水管の床排水口とを床排水接続部材によって接続することとなる。こうすることにより、便器本体を比較的簡易な構成とすることが可能になる。
【０００９】
しかしながら、このような構成においては、排水接続管の滞留部の荷重により、便器本体の便器排水口と排水接続管との接続部分、排水接続管と床排水接続部材の接続部との接続部分等に負荷が作用し、それらの部分から水漏れ等を生じる懸念がある。
【００１０】
本発明は、上記従来の実情に鑑みてなされたものであって、流路に滞留部を有する水洗式便器に確実にサイホン作用を生じさせ、その水洗式便器の便器本体を簡素化でき、しかも接続部分等に水漏れ等の懸念を生じないようにできる床排水接続部材を提供することを解決すべき課題としている。
【課題を解決するための手段】
【００１１】
本発明の床排水接続部材は、便器本体の便鉢に形成された水封部に連通する便器排水口と、床面から立ち上げられた床排水管に形成された床排水口とを接続する床排水接続部材において、
前記便器排水口と接続され、内部に洗浄水を貯留する滞留部が形成された排水接続管と、前記床面に固定され、該排水接続管と該床排水口とを接続する接続部を有する排水接続ソケットとからなり、
該排水接続ソケットには、該滞留部を支持する支持部が形成されていることを特徴とする。
【００１２】
この床排水接続部材では、便器本体の便器排水口と床排水管の床排水口とを便器本体とは別体の排水接続管により接続し、排水接続管が内部に洗浄水を貯留する滞留部を形成するため、便器本体を比較的簡易な構成とすることが可能になる。
【００１３】
また、この床排水接続部材で便器本体の便器排水口と床排水管の床排水口とを接続する場合、便器本体の便器排水口に排水接続管を接続し、排水接続管を排水接続ソケットの接続部に接続すればよい。ここで、本発明の床排水接続部材は、排水接続管の滞留部を支持する支持部を排水接続ソケットが有していることから、その滞留部の荷重が便器本体の便器排水口と排水接続管との接続部分、排水接続管と排水接続ソケットの接続部との接続部分等に負荷を生じさせない。
【００１４】
したがって、本発明の床排水接続部材は、流路に滞留部を有する水洗式便器に確実にサイホン作用を生じさせ、その水洗式便器の便器本体を簡素化でき、しかも接続部分等の水漏れ等の懸念を払拭することができる。
【００１５】
排水接続管は、１つの部材で構成されてもよく、２つ以上の部材で構成されてもよい。排水接続管を上流側の案内管と下流側の接続管本体とで構成する場合、便器本体に案内管を固定するとともに、接続管本体を排水接続ソケットに接続した後、便器本体及び案内管を床面に載置することにより、案内管を接続管本体に容易に接続することが可能になる。
【００１６】
支持部は、異なる形状の排水接続管に対応可能に複数個形成されていることが好ましい。この場合、異なる形状の排水接続管が採用されたとしても、一つの排水接続ソケットでそれらの排水接続管の滞留部を支持できる。
【００１７】
各支持部は接続部からの距離が異なることが好ましい。壁面から異なる距離で床排水管が床面から立ち上げられることがあるが、その場合、滞留部の位置が異なる排水接続管が採用されたとしても、一つの排水接続ソケットでそれらの排水接続管の滞留部を支持できる。
【発明を実施するための最良の形態】
【００１８】
以下、本発明の床排水接続部材を洋風水洗式便器に具体化した実施例１〜３を図面を参照しつつ説明する。
【実施例１】
【００１９】
実施例１の洋風水洗式便器は、図１及び図２に示すように、便器本体１と、床排水接続部材６０と、便器固定部材８０と、便器洗浄装置１００と、吸気装置２００とを備えている。床排水接続部材６０は、案内管６２、接続管本体６５及び排水接続ソケット７１からなる。案内管６２と接続管本体６５とが排水接続管である。なお、便座及び便蓋の図示は省略する。
【００２０】
便器本体１は、便鉢２の上部内周にリム３を有している。また、便器本体１は、便鉢２の下端に形成された流入口２ａが便鉢２の裏面で後方に延びる上昇流路２ｂに連通している。上昇流路２ｂは設置時に流入口２ａより高い最高位部２ｃに位置する便器排水口２ｄまで延びている。こうして、便鉢２の下方には第１の水封部４ａが形成される。
【００２１】
便器本体１の便器排水口２ｄは水平後方に開口しており、便器排水口２ｄ回りにはパッキン６１が設けられ、パッキン６１は案内管６２に挿入している。
【００２２】
また、便器本体１の上面には便鉢２より後方に一対の凹部１ａが凹設されており、各凹部１ａの底面には便鉢２の下方の空間に連通する貫通孔１ｂが貫設されている。各凹部１ａの外側には便座及び便蓋を取り付けるための取付穴１ｃが貫設されている。凹部１ａ及び取付穴１ｃの後方には、案内管６２、接続管本体６５、排水接続ソケット７１、便器洗浄装置１００及び吸気装置２００を収納する収納空間１ｄが上下で貫通した状態で形成されている。
【００２３】
案内管６２は水平方向から鉛直下方向に湾曲しており、内部は下り傾斜する案内流路６２ａとされている。案内管６２の上端は便器排水口２ｄと接続され、案内管６２の下端は後述する接続管本体６５の上流口６３ａと接続されている。また、案内管６２には、上方に延びて吸気装置２００の吸引タンク２０１と接続される筒部６２ｂが形成されている。
【００２４】
案内管６２の下端に接続管本体６５が接続されている。接続管本体６５は、図３に示すように、上流管６３と下流管６４とからなる。
【００２５】
上流管６３は、上端に水平に開口する上流口６３ａが形成され、上流口６３ａから設置時に上流口６３ａより低い位置まで延び、そこで湾曲して他端に斜め上方に開口する接続口６３ｄが形成されたものである。下流管６４は、一端に斜め下方に開口する被接続口６４ａが形成され、被接続口６４ａから設置時に高い位置まで延び、そこで湾曲して他端で下方に開口する下流口６４ｄが形成されたものである。
【００２６】
上流管６３と下流管６４とは、接続口６３ｄ及び被接続口６４ａ回りに設けた接続部材６６によって一体に接続され、接続管本体６５とされている。この接続管本体６５はとぐろを巻いており、内部が排水流路６５ａを構成している。上流管６３の低い位置で湾曲している部分が内部に洗浄水を貯留する滞留部６３ｂである。
【００２７】
接続管本体６５における上流管６３の上流口６３ａ内には略円筒状のオリフィス部材６７が設けられている。オリフィス部材６７の下端は、オリフィスを形成するように小径にされている。また、上流管６３の上流口６３ａ回りにはパッキン６８が装着されている。案内管６２はこのパッキン６８を介して上流口６３ａ及びオリフィス部材６７に挿入されることで上流管６３に接続される。
【００２８】
一方、この洋風水洗式便器が据え置かれる床面Ｆには、上端に床排水口７０ａをもつ床排水管７０が立ち上げられている。また、床面Ｆには、便器固定部材８０及び排水接続ソケット７１が固定されている。
【００２９】
便器固定部材８０は、設置時に左右で下方から互いに徐々に近づくように上方に延びる脚部８０ａと、両脚部８０ａの上端を連結するブラケット８０ｂと、ブラケット８０ｂの両端に固定された固定部８０ｃとを有している。両脚部８０ａ及びブラケット８０ｂは金属製であり、両固定部８０ｃは樹脂製である。各脚部８０ａの下端にはサブ固定片８０ｄと第１固定片８０ｅとが設けられている。
【００３０】
両サブ固定片８０ｄ及び両第１固定片８０ｅにはねじ穴８０ｆ、８０ｇが貫設されている。ねじ穴８０ｆ、８０ｇにはビス８１が挿通される。両第１固定片８０ｅの先端には幅が狭くされて下方に屈曲する係止凸部８０ｈが形成されている。
【００３１】
排水接続ソケット７１は、床面Ｆと平行に延びる平板状の基部７１ｍを有している。基部７１ｍの底面には、図１に示すように、大径用の床排水口７０ａと整合する第１凹部７１ａと、小径用の床排水口７０ａと整合する第２凹部７１ｂとが同心に凹設されている。また、基部７１ｍの上面には、図３に示すように、第１凹部７１ａ及び第２凹部７１ｂと同心の接続部７１ｅが突設されており、接続部７１ｅの中心には接続管本体６５の下流管６４と嵌合する接続口７１ｃが開口されている。さらに、基部７１ｍの上面には滞留部６３ｂを支持する支持部７１ｄが形成されている。支持部７１ｄの上面は滞留部６３ｂの下面と整合している。
【００３２】
また、基部７１ｍには、床面Ｆと平行に互いに離れる方向に延びる第２固定片７１ｆが一体に形成されている。両第２固定片７１ｆの先端側の上面にはねじ穴７１ｈが貫設されている。ねじ穴７１ｈにはねじ穴８０ｇとともにビス８１が挿通される。また、両第２固定片７１ｆの後方側面には、便器固定部材８０の係止凸部８０ｈと整合する係止凹部７１ｉが凹設されている。
【００３３】
図１に示すように、便器洗浄装置１００は水道管と接続されており、便器洗浄装置１００は開閉弁１０１を介して便器本体１のリム３に設けられたノズルに接続されている。また、吸気装置２００は、作動によって負圧を生じる負圧発生装置２０２と、この負圧発生装置２０２と開閉弁２０３を介して接続された吸引タンク２０１とを有している。
【００３４】
この洋風水洗式便器を床面Ｆに施工するに際しては、まず排水接続ソケット７１を床面Ｆに固定する。この場合、図３に示すように、初めに床排水管７０の床排水口７０ａと第１凹部７１ａ又は第２凹部７１ｂとが整合するように、床面Ｆに排水接続ソケット７１を位置させる。床排出管７０の外周面と第１凹部７１ａ又は第２凹部７１ｂの内周面との間には接着剤を介在させる。この後、便器固体部材８０を排水接続ソケット７１の前方に位置させ、排水接続ソケット７１を便器固定部材８０とともに床面Ｆに固定する。
【００３５】
また、便器本体１に案内管６２を固定する。そして、上流管６３と下流管６４とを一体に組み付けて接続管本体６５とし、排水接続ソケット７１の接続口７１ｃに接続管本体６５の下流口６４ｄを挿入する。一方、図３及び図４に示すように、接続管本体６５の上流口６３ａにオリフィス部材６７及びパッキン６８を装着する。なお、上流管６３にパッキン６８を予め組み付けておくことも可能である。この後、便器本体１及び案内管６２を床面Ｆに載置すれば、案内管６２を接続管本体６５に容易に接続することが可能である。また、オリフィス部材６７を容易に排水流路に設けることが可能になる。なお、本発明は、案内管６２、上流管６３及び下流管６４が一体のものであってもよい。
【００３６】
そして、図２に示すように、便器本体１の凹部１ａを介して貫通孔１ａにボルト８２を挿通し、座金８３を介してボルト８２を便器固定部材８０の固定部８０ｃにねじ込む。
【００３７】
以上のように構成された洋風水洗式便器では、便器洗浄装置１００によってリム３に洗浄水が供給される。このため、便器本体１では、上昇流路２ｂによって洗浄水が封水となる第１の水封部４ａが便鉢２に形成されるとともに、接続管本体６５の滞留部６３ｂ内にも第２の水封部４ｂが形成される。そして、この洋風水洗式便器では、吸気装置２００によって排水流路６５ａ内の空気を吸引する。
【００３８】
これによって確実にサイホン作用を生じ、第１の水封部４ａ内の汚物は、便器本体１の便器排水口２ｄ、案内管６２、接続管本体６５に至り、床排水口７０ａから床排水管７０に排出されることとなる。
【００３９】
ここで、実施例１の床排水接続部材６０では、便器本体１の便器排水口２ｄと床排水管７０の床排水口７０ａとの間の排水流路６５ａを便器本体１とは別体の案内管６２及び接続管本体６５により構成し、接続管本体６５が滞留部６３ｂを形成しているため、便器本体１は比較的簡易な構成となっている。
【００４０】
また、この床排水接続部材６０は、接続管本体６５の滞留部６３ｂを支持する支持部７１ｄを排水接続ソケット７１が有していることから、その滞留部６３ｂの荷重が案内管６２と上流管６３との接続部分、上流管６３と下流管６４との接続部分、下流管６４と排水接続ソケット７１の接続口７１ｃとの嵌合部分等に負荷を生じさせない。
【００４１】
したがって、この床排水接続部材６０は、流路に滞留部６３ｂを有する洋風水洗式便器に確実にサイホン作用を生じさせ、その洋風水洗式便器の便器本体１を簡素化でき、しかも接続部分等の水漏れ等の懸念を払拭することができる。
【実施例２】
【００４２】
図５並びに図６（Ａ）及び（Ｂ）に示すように、実施例２の排水接続ソケット７２は、２個の第２固定片７１ｆを挟んだ両端に２個の支持部７２ａ、７２ｂを有している。支持部７２ａの上面はある接続管本体９１の滞留部９１ａの下面と整合しており、支持部７２ｂの上面は他の接続管本体９２の滞留部９２ｂの下面と整合している。各支持部７２ａ、７２ｂは接続口７１ｃの中心Ｏからの距離が異なっている。他の構成は実施例１と同様であり、同一の構成については同一の符号を付して詳細な説明を省略する。
【００４３】
図６（Ａ）及び（Ｂ）に示すように、床排水管７０は、壁面ＷからＬ１（２００ｍｍ）で床面Ｆから立ち上げられる場合もあれば、壁面ＷからＬ２（３００ｍｍ）で床面Ｆから立ち上げられる場合もある。
【００４４】
図６（Ａ）に示すように、床排水管７０が壁面ＷからＬ１で床面Ｆから立ち上げられる場合には、排水接続ソケット７２の支持部７２ａを後方に位置させて排水接続ソケット７２を床面Ｆに固定する。そして、接続管本体９１を排水接続ソケット７２に接続する。これにより、接続管本体９１の滞留部９１ａは支持部７２ａで支持される。
【００４５】
また、図６（Ｂ）に示すように、床排水管７０が壁面ＷからＬ２で床面Ｆから立ち上げられる場合には、排水接続ソケット７２の支持部７２ｂを後方に位置させて排水接続ソケット７２を床面Ｆに固定する。そして、接続管本体９２を排水接続ソケット７２に接続する。これにより、接続管本体９２の滞留部９２ａは支持部７２ｂで支持される。
【００４６】
いずれの場合も便器固定部材８０及び便器本体１の壁面Ｗからの位置は同じである。こうして、滞留部９１ａ、９２ａの位置が異なり、異なる形状の排水接続管９１、９２が採用されたとしても、一つの排水接続ソケット７２でそれらの排水接続管９１、９２の滞留部９１ａ、９２ａを支持できる。他の作用効果は実施例１と同様である。
【実施例３】
【００４７】
本発明の排水接続ソケットは、実施例１、２で示したとぐろを巻いている接続管本体６５、９１、９２だけに適用されるものではなく、図７に示すように、鉛直方向に延びて湾曲している接続管本体９３にも適用可能である。
【００４８】
例えば、実施例３の排水接続ソケット７３は、床面Ｆと平行に延びる平板状の基部７３ｍを有している。基部７３ｍの上面には接続部７３ｅが突設されており、接続部７３ｅの中心には接続管本体９３と嵌合する接続口７３ｃが開口されている。また、基部７３ｍには、床面Ｆと平行に互いに離れる方向に延びる第２固定片７３ｆが一体に形成されており、両第２固定片７３ｆの先端側の上面にはねじ穴７３ｈが貫設されている。そして、基部７１ｍの上面には接続管本体９３の滞留部９３ａを支持する支持部７３ｄが形成されている。支持部７３ｄの上面は滞留部９３ａの下面と整合している。この排水接続ソケット７３によっても、本発明の作用効果を奏することができる。
【００４９】
以上において、本発明を実施例１〜３に即して説明したが、本発明は上記実施例１〜３に制限されるものではなく、その趣旨を逸脱しない範囲で適宜変更して適用できることはいうまでもない。
【００５０】
例えば、排水接続ソケットは支持部が別体で設けられるものであってもよい。
【００５１】
また、内部が下り傾斜する案内流路を便器本体が有していても良い。この場合、案内流路の下流が便器排水口となる。
【００５２】
さらに、便鉢の下端に便器排水口を設け、上昇流路を便器本体とは別体の排水接続管によって構成することも可能である。この場合、本発明の便器固定装置にその排水接続管を接続することが可能である。
【産業上の利用可能性】
【００５３】
本発明は水洗式便器に利用可能である。
【図面の簡単な説明】
【００５４】
【図１】実施例１の洋風水洗式便器の一部模式の断面図である。
【図２】実施例１の洋風水洗式便器の要部斜視図である。
【図３】実施例１の排水接続ソケット等の分解斜視図である。
【図４】実施例１の排水接続ソケット等の斜視図である。
【図５】実施例２の排水接続ソケットの斜視図である。
【図６】実施例２の排水接続ソケットを用いた洋風水洗式便器の側面透視図である。
【図７】実施例３の排水接続ソケット等の斜視図である。
【符号の説明】
【００５５】
１…便器本体
２…便鉢
４ａ…第１の水封部
２ｄ…便器排水口
Ｆ…床面
７０…床排水管
７０ａ…床排水口
６５ａ…排水流路
６０…床排水接続部材
６３ｂ、９１ｂ、９２ｂ、９３ｂ…滞留部
６２…案内管、６５、９１、９２、９３…接続管本体（排水接続管）
７１、７２、７３…排水接続ソケット
７１ｃ…接続口
７１ｅ…接続部
７１ｄ、７２ａ、７２ｂ、７３ｄ…支持部
【図１】
2008267025.tif 000003
【図２】
2008267025.tif 000004
【図３】
2008267025.tif 000005
【図４】
2008267025.tif 000006
【図５】
2008267025.tif 000007
【図６】
2008267025.tif 000008
【図７】
2008267025.tif 000009